(57)【特許請求の範囲】
【請求項１】
１枚のシート体が、折り目を介して２つ折りされており、折り合わせ面の片方に、表面が皮脂の浸透によって変色するよう構成された皮脂検知チップが取り付けられているとともに、折り合わせ面の他方の、上記皮脂検知チップと重なる部分が切欠かれており、上記２つ折りを開いて露出するシート面の、上記皮脂検知チップと切欠き部を除く余白部に、上記皮脂検知チップ表面の変色の度合いと皮脂量の関係を示す説明表示がなされていることを特徴とする皮脂量チェックツール。
【請求項２】
１枚のシート体が、平行な２本の折り目を介して３つ折りされ、両側の折り返し片が、シート体中央面上で互いに重なるか互いに突き合わされるよう構成されており、上記シート体中央面に、表面が皮脂の浸透によって変色するよう構成された皮脂検知チップが取り付けられているとともに、上記シート体中央面と重なる折り合わせ片の、上記皮脂検知チップと重なる部分が切欠かれており、上記３つ折りを開いて露出するシート面の、上記皮脂検知チップと切欠き部を除く余白部に、上記皮脂検知チップ表面の変色の度合いと皮脂量の関係を示す説明表示がなされていることを特徴とする皮脂量チェックツール。
【請求項３】
上記皮脂検知チップが円形で、皮脂検知チップの取り付け部分の周囲に、皮脂検知チップと同心状の大径円が表示され、この大径円内が周方向に複数領域に分割されており、この複数領域が、皮脂検知チップ表面の変色の度合いを示すよう段階的に着色されているとともに、各領域における変色の度合いと皮脂量の関係がわかるよう説明表示が付記されている請求項１または２記載の皮脂量チェックツール。
【発明の詳細な説明】
【０００１】
【発明の属する技術分野】
本発明は、皮膚に当てることにより、簡単に皮脂量のチェックを行うことのできる皮脂量チェックツールに関するものである。
【０００２】
【従来の技術】
人間の皮膚表面で分泌される皮脂の量には個人差があり、これの少ない人は荒れ肌になりやすく、これの多い人は脂ぎった肌になりやすい。したがって、肌を健やかに保つためには、自分の肌の特性を知った上で、自分に合った化粧料を用いることが必要である。そこで、従来から、肌の特性を科学的に評価することが行われており、例えば、皮膚表面の皮脂を所定の方法に従って採取し、これを溶剤抽出方法やオスミウム酸濾紙法等の化学的な方法によって定量することが行われている。これらの評価方法は、いずれも特殊な薬剤や複雑な装置を必要とするため、専門家が研究所や病院等の特定の施設で実施する以外は一般には利用されにくいものであった。
【０００３】
これに対し、本出願人は、より簡単な操作で、正確な皮脂量を測定することのできる皮脂量測定装置を開発し、すでに出願している（特開平２−２２０６３０号公報）。この装置は、皮脂の浸透によって変色する特殊な皮脂採取チップを、所定のホルダー先端に取り付けて皮膚面に押圧したのち、ホルダー先端を本体内に差し込んで、上記チップの色変化の度合いを、本体内において光学的に読み取って数値化するようにしたものである。
【０００４】
【発明が解決しようとする課題】
しかしながら、上記装置は、操作が簡単ではあるが、光学的手段や電気的な手段が内蔵されたものであるため、高価で、しかも一定の保守管理が必要である。したがって、基本的に、化粧品販売員の管理下においておかなければならず、だれでもが、いつでも、どこででも即座に皮脂量を調べることができるというものではない。また、嵩張るため、持ち運びにも不便である。さらに、化粧品購入に先立ち、店内で販売員とやりとりすることなく、自分の皮脂量について自分で調べたい、というセルフ志向の高い顧客からの要望にも応えることができない。
【０００５】
本発明は、このような事情に鑑みなされたもので、だれでも、使い捨ての形で、簡単に皮脂量チェックを行うことのできる、全く新しいタイプの皮脂量チェックツールの提供をその目的とする。
【０００６】
【課題を解決するための手段】
上記の目的を達成するため、本発明は、１枚のシート体が、折り目を介して２つ折りされており、折り合わせ面の片方に、表面が皮脂の浸透によって変色するよう構成された皮脂検知チップが取り付けられているとともに、折り合わせ面の他方の、上記皮脂検知チップと重なる部分が切欠かれており、上記２つ折りを開いて露出するシート面の、上記皮脂検知チップと切欠き部を除く余白部に、上記皮脂検知チップ表面の変色の度合いと皮脂量の関係を示す説明表示がなされている皮脂量チェックツールを第１の要旨とする。
【０００７】
また、１枚のシート体が、平行な２本の折り目を介して３つ折りされ、両側の折り返し片が、シート体中央面上で互いに重なるか互いに突き合わされるよう構成されており、上記シート体中央面に、表面が皮脂の浸透によって変色するよう構成された皮脂検知チップが取り付けられているとともに、上記シート体中央面と重なる折り合わせ片の、上記皮脂検知チップと重なる部分が切欠かれており、上記３つ折りを開いて露出するシート面の、上記皮脂検知チップと切欠き部を除く余白部に、上記皮脂検知チップ表面の変色の度合いと皮脂量の関係を示す説明表示がなされている皮脂量チェックツールを第２の要旨とする。
【０００８】
さらに、これらの皮脂量チェックツールのなかでも、特に、上記皮脂検知チップが円形で、皮脂検知チップの取り付け部分の周囲に、皮脂検知チップと同心状の大径円が表示され、この大径円内が周方向に複数領域に分割されており、この複数領域が、皮脂検知チップ表面の変色の度合いを示すよう段階的に着色されているとともに、各領域における変色の度合いと皮脂量の関係がわかるよう説明表示が付記されている皮脂量チェックツールを第３の要旨とする。
【０００９】
【発明の実施の形態】
つぎに、本発明の実施の形態について説明する。
【００１０】
図１は、本発明である皮脂量チェックツールの一実施の形態を示している。この皮脂量チェックツールは、２つ折りされた紙製の台紙１と、この台紙１の表面に形成された切欠き穴２から露出する円形の皮脂検知チップ３とで構成されており、透明プラスチックフィルムからなる袋４に装入した状態で取り扱われるようになっている。
【００１１】
上記台紙１の、２つ折りによって表面を構成する面１ａの略中央には、すでに述べたように、切欠き穴２が形成されており、その周囲に、ひまわりの花のイラスト５が表示されている。また、上記イラスト５の上部には、「オイリーチェックシート！」という見出し６が表示されており、この皮脂量チェックツールの呼称が「オイリーチェックシート」であることを示している。
【００１２】
また、上記台紙１の折り合わせ面を開くと、図２（ａ）に示すように、切欠き穴２が形成された面１ｂと、皮脂検知チップ３が貼着された面１ｃとが、見開きの状態となる。上記皮脂検知チップ３は、図２（ｂ）に示すように、面１ｂと面１ｃとを折り合わせた状態で、上記切欠き穴２を貫通して、その表面が台紙１の表側に露出するよう設定されている。
【００１３】
そして、上記皮脂検知チップ３をより詳しく説明すると、このものは、図３に示すように、支持体層３ａと検知層３ｂの２層構造になっており、検知層３ｂの表面が、皮膚面等に押し付けられるようになっている。そして、上記支持体層３ａは、発泡ウレタン等の弾性体で形成されており、弾力的に検知層３ｂを支持している。また、上記検知層３ｂは、ヨウ素および銀化合物を含有した紙材によって形成されており、未使用の状態では灰色を呈し、紙材中に皮脂が浸透すると、その皮脂量に応じた量だけヨウ素が遊離して上記銀化合物が黒色に発色するようになっている。
【００１４】
一方、上記皮脂検知チップ３が貼着された面１ｃ（図２〔ａ〕に戻る）の上部には、帯状枠７が設けられており、その内側に、「あなたの皮脂度は…？」という見出し８が表示されている。そして、皮脂検知チップ３の周囲に、皮脂検知チップ３と同心状の大径円９が表示されており、この大径円９が周方向に均等に３分割されている。
【００１５】
そして、分割された３つの領域１０〜１２のうち、左側の分割領域１０には、「皮脂度１」の文字が記入され、領域内が皮脂検知チップ３の未使用状態に略等しい灰色に着色されている。また、右側の分割領域１１には、「皮脂度２」の文字が記入され、領域内が、上記分割領域１０の色より黒みの強い灰色に着色されている。さらに、下側の分割領域１２には、「皮脂度３」の文字が記入され、領域内が真っ黒に着色されている。
【００１６】
したがって、上記皮脂検知チップ３を台紙１ごと、図２（ｂ）に示すような２つ折りの状態で皮膚面Ｘに当てたのち皮膚面Ｘから外して、変色した先端面（検知層３ｂ）の色を、上記大径円９の、各分割領域１０〜１２に示された色と比較すれば、測定された皮脂度が、１〜３のどのランクに属するかがわかるようになっている。
【００１７】
そして、切欠き穴２が形成された方の面１ｂの下部には、「皮脂度１」の小見出し１３と、上記分割領域１０内の色と同様の灰色に着色された四角枠１４とが設けられ、その右側に、「皮脂度１」のランクにおける皮脂量の程度と注意点についての説明書き１５が表示されている。
【００１８】
また、その上には、「皮脂度２」の小見出し１６と、上記分割領域１１内の色と同様の、黒みの強い灰色に着色された四角枠１７とが設けられ、その右側に、「皮脂度２」のランクにおける皮脂量の程度と注意点についての説明書き１８が表示されている。
【００１９】
さらに、その上には、切欠き穴２を隔てて、「皮脂度３」の小見出し１９と、上記分割領域１２内の色と同様、真っ黒に着色された四角枠２０とが設けられ、その右側に、「皮脂度３」のランクにおける皮脂量の程度と注意点についての説明書き２１が表示されている。
【００２０】
したがって、皮脂検知チップ３の色と大径円９の分割領域１０〜１２の色とを対比して検知結果が皮脂度１〜３のいずれであるかがわかった場合、その皮脂度についての説明書き（１５，１８，２１のいずれか）を読むことにより、皮脂量の程度と注意点を把握することができるようになっている。
【００２１】
上記皮脂量チェックツールは、例えばつぎのようにして用いることができる。すなわち、まず、図４に示すような専用ボックス３０内に、皮脂量チェックツールを並べて収納し、化粧品のテスター類等といっしょに店内のカウンセリングコーナーに載置する。なお、この専用ボックス３０の背面板３０ａには、「ひまわりであなたの皮脂量をチェック！！」というキャッチフレーズ３１が表示されており、余白スペースにひまわりのイラスト３２が表示されている。
【００２２】
そして、販売員が、来店した顧客に対し、カウンセリングを行いながら、上記専用ボックス３０内から皮脂量チェックツールを取り出して、皮脂検知チップ３を顧客の額（もしくは頬等）に当てて、その部分の皮脂量をチェックする。そして、皮脂量チェックツールの面１ｂ，１ｃの説明表示に照らして、顧客の皮脂量の程度と、皮膚への手入れ方法、推奨すべき化粧品等を説明する。
【００２３】
また、上記専用ボックス３０を、店内の目立つ場所（カウンター上や商品陳列棚の適宜のスペース等）に載置しておき、来店した顧客が、自分で手にとってその場で皮脂量チェックを行ったり、自宅に持って帰ってから、皮脂量チェックを行うようにしてもよい。
【００２４】
もちろん、皮脂量チェックツールは、必ずしも上記専用ボックス３０に収納する必要はなく、他の容器に入れてもよいし、店内の適宜の場所にそのままランダムに置いてもよい。また、店頭や街頭で一品一品配布するようにしてもよい。さらに、ダイレクトメールとして顧客に郵送することもできる。
【００２５】
このように、上記皮脂量チェックツールは、従来の測定装置とは異なり、複雑な構成を有することなく、皮脂検知チップの変色の度合いによって大体の皮脂量の目安とすることができる。したがって、安価で使い捨てることができ、だれでも、簡単に皮脂量チェックを行うことができる。
【００２６】
なお、上記の例は、台紙１が２つ折りになったものを用いたが、例えば、図５（ａ）および同図（ｂ）に示すように、３つ折り構造の台紙１′を用いるようにしても差し支えはない。このものは、両側の折り返し片４０，４１が、中央面４２上で互いに重なるよう３つ折りされており、上記中央面４２に、皮脂検知チップ３が取り付けられ、その上に重なる折り返し片４０に、上記皮脂検知チップ３を貫通させるための切欠き穴２が形成されている。その上の折り返し片４０は、表紙としての表示機能を果たすとともに、切欠き穴２を貫通して露出する皮脂検知チップ３を保護する機能を果たす。したがって、このタイプでは、上記の例のように、プラスチックフィルム製の袋４（図１参照）に装入する必要がない。ただし、皮脂検知チップ３を皮膚面に当てる場合には、上記折り返し片４０を上方にめくり上げるか、中央面４２の後ろ側にまわして重ねるかする必要がある。
【００２７】
さらに、図６に示すように、同じく３つ折り構造の台紙１′であって、両側の折り返し片５０，５１が、中央面５２上で互いに突き合わされるようになっているものを用いるようにしてもよい。このものは、上記の例と同様、中央面５２に、皮脂検知チップ３が取り付けられ、その上に重なる折り返し片５０，５１に、上記皮脂検知チップ３を貫通させるための半円状の切欠き部２ａ，２ｂが、それぞれ形成されている。
【００２８】
なお、本発明の皮脂量チェックツールにおいて、皮脂検知チップ３としては、上記の例に限らず、皮脂を介して発色するように構成されたものであれば、どのようなものであっても差し支えない。また、その形状も、円形に限らず、楕円形，四角形，三角形等、どのような形であっても差し支えない。ただし、上記の例のように、弾性体からなる支持体層３ａ（図３参照）を設けると、皮膚面Ｘに充分に押し付けることができ、皮脂を浸透させやすい。
【００２９】
【発明の効果】
以上のように、本発明の皮脂量チェックツールは、簡単で安価な構成になっているため、使い捨てで用いることができ、だれでも、手軽に皮脂量チェックを行うことができる。
【図面の簡単な説明】
【図１】本発明の一実施例を示す斜視図である。
【図２】（ａ）は上記実施例の展開図、（ｂ）は上記実施例を２つ折りした状態の縦断面図である。
【図３】上記実施例に用いる皮脂検知チップの説明図である。
【図４】上記実施例の使用態様の説明図である。
【図５】（ａ）は本発明の他の実施例を示す斜視図、（ｂ）はその縦断面図である。
【図６】本発明のさらに他の実施例を示す斜視図である。
【符号の説明】
１  台紙
２  切欠き穴
３  皮脂検知チップ
【図１】
0003556878.tif 000002
【図２】
0003556878.tif 000003
【図３】
0003556878.tif 000004
【図４】
0003556878.tif 000005
【図５】
0003556878.tif 000006
【図６】
0003556878.tif 000007